(57)【特許請求の範囲】
【請求項１】
掃除機本体に取り付けられ吸引操作部が具備された第１吸気管に着脱自在に取付けられる第２吸気管に対して互換的に取り付けられる可撓性の補助用ホースであって、
その先端部に、少なくとも第１吸気口を有し掃除環境に応じて変形された異種類の複数のブラシ部のうちの一つが選択的に取り付けられる円筒形のブラシ取付け部と、
前記ブラシ取付け部の前記掃除機本体側の部分に、第２吸気口を有し該第２吸気口の面積を前記ブラシ部における吸引力の程度を調整できるように可変し得る吸気量調節部と、が備えられ、
前記吸気量調節部は、前記ブラシ取付け部から延在された円筒材の長手方向に沿って複数設けられた前記第２吸気口と、前記円筒材の表面を該円筒材の長手方向に沿って移動するスライド部とを有し、該スライド部を前記円筒材に対し螺合させて回動させ第２吸気口の面積を可変できるようにし、
掃除環境に応じたブラシ部を選択できることを特徴とする電気掃除機の補助用ホース。
【請求項２】
掃除機本体の吸い込み孔に着脱自在に取付けられる吸気管に対して互換的に取付けられる可撓性の補助用ホースであって、
その先端部に、少なくとも第１吸気口を有し掃除環境に応じて変形された異種類の複数のブラシ部のうちの一つが選択的に取り付けられる円筒形のブラシ取付け部と、
前記ブラシ取付け部の前記掃除機本体側の部分に、第２吸気口を有し該第２吸気口の面積を前記ブラシ部における吸引力の程度を調整できるように可変し得る吸気量調節部と、            が備えられ、
前記吸気量調節部は、前記ブラシ取付け部から延在された円筒材の長手方向に沿って複数設けられた前記第２吸気口と、前記円筒材の表面を該円筒材の長手方向に沿って移動するスライド部とを有し、該スライド部を前記円筒材に対し螺合させて回動させ第２吸気口の面積を可変できるようにし、
掃除環境に応じたブラシ部を選択できることを特徴とする電気掃除機の補助用ホース。
【請求項３】
掃除機本体には吸気管の基端部が嵌合される吸込み孔を有し、
前記補助用ホースの基端部は、該基端部に挿入される円筒材であって選択的に使用できるアダプタを介在させて、前記掃除機本体の前記吸込み孔に嵌合される
ことを特徴とする請求項１、２のいずれかに記載の電気掃除機の補助用ホース。
【発明の詳細な説明】
【技術分野】
【０００１】
本発明は電気掃除機の補助用ホースに係り、掃除機本体に着脱自在に取付けられる吸気管あるいは該吸気管のうち一部の吸気管に対して互換的に取付けられる補助用ホースに関する。
【背景技術】
【０００２】
掃除機本体に着脱自在に取り付けられる主吸気管に対して互換的に取り付けられる補助用吸気管は、たとえば下記特許文献１あるいは下記特許文献２によって知られている。
【０００３】
下記特許文献１には、電気掃除機を肩掛け式として用いることができ、この際に、吸気管に代えて蛇腹ホースを取り付ける構成のものが開示されている。また、下記特許文献２には、電気掃除機の吸気管に代えて空気調和器の掃除具を取り付ける構成のものが開示されている。
【先行技術文献】
【特許文献】
【０００４】
【特許文献１】特開2009-261501号公報
【特許文献２】特開2002-065526号公報
【発明の概要】
【発明が解決しようとする課題】
【０００５】
しかし、特許文献１に開示される蛇腹ホース、特許文献２に開示される掃除具は、いずれも、使用の用途がほぼ定まったものとして構成されたものである。すなわち、たとえば特許文献２の場合、空気調和機の清掃具として、そのブラシ部とこのブラシ部とを接続する吸気管（蛇腹部）は一体のものとして形成されたものとなっている。したがって、他の箇所の清掃をするには、該清掃具自体を掃除機本体から外すとともに、他の箇所の清掃に適したブラシ部とこのブラシ部を一体に接続する吸気管とを有する他の清掃具を用意しなければならず、これら清掃具を用途に応じて多数用意することは、収納が嵩張るという不都合を有している。
【０００６】
また、空気調和機の清掃具を用いて該空気調和機以外の他の電化製品を清掃する場合において、該清掃具のブラシ部に形成されている吸気口は一定の形状として形成されているため吸引力は変わらず、他の電化製品にとって吸引力が大きくなってしまう場合がある。すなわち、たとえば空気調和機用の清掃具として形成した場合は、他の電化製品への適用に制限が付され、汎用性に乏しくなるという不都合を有したものとなっていた。
【０００７】
本発明は、このような事情に基づいてなされたものであり、その目的は、収納が嵩張らず、掃除をする環境に応じて汎用性に富み、それぞれの環境において適切に塵埃の吸い込みを行うことのできる電気掃除機の補助用ホースを提供することにある。
【課題を解決するための手段】
【０００８】
このような目的を達成するために、本発明は、まず、掃除機本体に着脱自在に取付けられる吸気管あるいは該吸気管のうち先端部の吸気管に互換的に取付けられる補助用ホースはたとえば一つとし、この補助用ホースの先端部には、掃除をする環境に応じて変形された種類の異なる複数のブラシ部のうちの一つが選択的に取り付けられる円筒形のブラシ取付け部が取り付けられているものとしたものである。これによって、補助用ホースと別体に各ブラシ部を単独に形成でき、また、各ブラシ部を比較的小さく構成できることから収納が嵩張るという不都合を解消できるようになる。
【０００９】
そして、ブラシ取付け部と掃除機本体側に近接する部分に、吸気口を形成しこの吸気口の面積（吸気面積）を可変し得る吸気量調節部を形成するようにしたものである。これにより、ブラシ部において吸引力が一定であっても、この吸引力は吸気量調節部によって調節でき、掃除をする環境に応じた適切な吸引力を得ることができる。
これにより、掃除をする環境に応じて適切なブラシ部を選択でき、さらに、その環境において適切に塵埃の吸い込みを行うことができるようになる。
【００１０】
(１)     
本発明の電気掃除機の補助用ホースは、
掃除機本体に取り付けられ吸引操作部が具備された第１吸気管に着脱自在に取付けられる第２吸気管に対して互換的に取り付けられる可撓性の補助用ホースであって、
その先端部に、少なくとも第１吸気口を有し掃除環境に応じて変形された異種類の複数のブラシ部のうちの一つが選択的に取り付けられる円筒形のブラシ取付け部と、
前記ブラシ取付け部の前記掃除機本体側の部分に、第２吸気口を有し該第２吸気口の面積を前記ブラシ部における吸引力の程度を調整できるように可変し得る吸気量調節部と、が備えられ、
前記吸気量調節部は、前記ブラシ取付け部から延在された円筒材の長手方向に沿って複数設けられた前記第２吸気口と、前記円筒材の表面を該円筒材の長手方向に沿って移動するスライド部とを有し、該スライド部を前記円筒材に対し螺合させて回動させ第２吸気口の面積を可変できるようにし、
掃除環境に応じたブラシ部を選択できることを特徴とする。
(２)     
また、他の本発明の電気掃除機の補助用ホースは、
掃除機本体の吸い込み孔に着脱自在に取付けられる吸気管に対して互換的に取付けられる可撓性の補助用ホースであって、
その先端部に、少なくとも第１吸気口を有し掃除環境に応じて変形された異種類の複数のブラシ部のうちの一つが選択的に取り付けられる円筒形のブラシ取付け部と、
前記ブラシ取付け部の前記掃除機本体側の部分に、第２吸気口を有し該第２吸気口の面積を前記ブラシ部における吸引力の程度を調整できるように可変し得る吸気量調節部と、            が備えられ、
前記吸気量調節部は、前記ブラシ取付け部から延在された円筒材の長手方向に沿って複数設けられた前記第２吸気口と、前記円筒材の表面を該円筒材の長手方向に沿って移動するスライド部とを有し、該スライド部を前記円筒材に対し螺合させて回動させ第２吸気口の面積を可変できるようにし、
掃除環境に応じたブラシ部を選択できることを特徴とする。
(３)さらに、他の電気掃除機の補助用ホースは、
掃除機本体には吸気管の基端部が嵌合される吸込み孔を有し、
前記補助用ホースの基端部は、該基端部に挿入される円筒材であって選択的に使用できるアダプタを介在させて、前記掃除機本体の前記吸込み孔に嵌合されることを特徴とする。
【発明の効果】
【００１１】
上述のように構成された電気掃除機の補助用ホースは、収納が嵩張らず、掃除をする環境に応じて汎用性に富み、それぞれの環境において適切に塵埃の吸い込みを行うことができるようになる。
【図面の簡単な説明】
【００１２】
【図１】（ａ）は補助用ホースのブラシ取付け部を示す側面図、（ｂ）はスライド部を摺動させた状態を示す側面図である。
【図２】（ａ）は本発明の補助用ホースを電気掃除機の掃除機本体に取り付けた図、（ｂ）は通常状態にある電気掃除機を示した図である。
【図３】（ａ）ないし（ｅ）は、それぞれ、本発明の補助用ホースに取り付けられるブラシ部である。
【図４】補助用ホースのブラシ取付部の他の実施例を示す図である。
【図５】（ａ）は、本発明の電気掃除機の補助用ホースの第１吸気管に取り付けられる基端部を示した側面図、（ｂ）、（ｃ）は補助用ホースの基端部が第１吸気管に取り付けられた状態を示す断面図である。
【図６】（ａ）、（ｂ）は、本発明の補助用ホースの基端部に取り付けられるアダプタの他の実施例を示す構成図、（ｃ）は、アダプタを介して補助用ホースの装着体が第１吸気管に嵌合されている状態を示す図、（ｄ）、（ｅ）は、他の種類のアダプタを示す平面図である。
【図７】本発明の補助用ホースの吸気量調節部の他の実施例を示す構成図である。
【図８】（ａ）、（ｂ）、（ｃ）は、図７に示す吸気量調節部に用いられる吸気量調整板を示す図である。
【図９】（ａ）、（ｂ）、（ｃ）は、図７に示す吸気量調節部に用いられる吸気量調整板を示す図である。
【図１０】（ａ）、（ｂ）は、本発明の補助用ホースの吸気量調節部の他の実施例を示す構成図である。
【図１１】本発明の補助用ホースの他の使用態様を示す図である。
【図１２】図１１に示す使用態様においてアダプタを用いる場合の説明図である。
【発明を実施するための形態】
【００１３】
以下、添付図面を参照して、本発明を実施するための形態（以下、実施形態という）について詳細に説明する。なお、実施形態の説明の全体を通して同じ要素には同じ番号を付している。
（実施態様１）
図２（ａ）は、本発明に係る補助用ホースを掃除機本体に取り付けた場合を示した図である。
【００１４】
図２（ａ）において、補助用ホース１０は、可撓性の蛇腹構造のホースであって、先端部において、ブラシ部２０が着脱自在に取り付けられるようになっている。補助用ホース１０の先端部と反対側の基端部は掃除機本体５０に接続される第１吸気管５３Ａに着脱自在に取付けられるようになっている。この第１吸気管５３Ａは、通常、掃除機本体５０に取り付けられる吸気管５３の一部を構成し、たとえば床用吸込具（図２（ｂ）にて符号５４で示す）を具備する第２吸気管（図２（ｂ）にて符号５３Ｂで示す）を着脱自在に取付けることができるようになっている。ここで、ブラシ部２０は、後述の説明で明らかとなるように、掃除環境に応じて変形された異種類の複数のブラシ部２０のうちの一つが選択的されて取り付けられたものとなっている。また、ブラシ部２０の取付け部には掃除機本体５０側に吸気量調節部３０が設けられている。
【００１５】
なお、掃除機本体５０には、補助用ホース１０を介して吸気を行う電動送風機５１、補助用ホース１０を介して吸い込んだ塵埃を収納する集塵室５２が内蔵されている。
【００１６】
なお、電気掃除機は、図２（ｂ）に示すように、通常、掃除機本体５０に吸気管５３が取り付けられて使用されるようになっている。この場合、吸気管５３は、たとえば、掃除機本体５０に着脱自在に取付けられる第１吸気管５３Ａと、この第２吸気管５３に着脱自在に取付けられる第２吸気管５３Ｂとから構成されている。第１吸気管５３Ａには把持部５５、この把持部５５に近接して設けられる吸引駆動スイッチ５６、および吸引量調節スイッチ５７等が設けられている。第２吸気管５３Ｂには、その先端部に床用吸込具５４が取り付けられている。これにより、操作者は、把持部５５を把持した状態で、吸引駆動スイッチ５６および吸引量調整スイッチ５７等の操作をしながら、第２吸気管５３Ｂの床用吸込具５４を通して床面の塵埃等を吸引できるようなっている。補助用ホース１０は、第２吸気管５３Ｂを第１吸気管５３Ａから外した後に、該第２吸気管５３Ｂに代えて取り付けられて使用されるようになっている。
【００１７】
図３（ａ）ないし（ｅ）は、それぞれ、補助用ホース１０に取り付けられるブラシ部２０であって、掃除を環境に応じて変形された異種類の複数のブラシ部のうちの一例を示した図である。なお、図３（ａ）ないし（ｅ）において、それぞれ、右側の図は側面図を、左側の図は正面図を示している。
【００１８】
図３（ａ）に示すブラシ部は、補助用ホース１０の後述するブラシ取付け部（図１にて符号４０で示す）に嵌合される円筒部（内径ｄ）２１に該円筒部２１の軸方向に直交する平面２２Ａを有する台部２２を備え、該平面２２Ａにブラシ２３が刷毛状に植設されて構成されている。また、台部２２の平面２２Ａには円筒部につながる吸気口２４（この明細書で第１吸気口２４と称する場合がある）がブラシ２３の間に形成されている。このように構成されたブラシ部２０は、広範囲の環境において使用することができ、塵埃が比較的多い箇所において使用する場合において好適となる。
【００１９】
図３（ｂ）に示すブラシ部２０は、補助用ホース１０のブラシ取付け部４０に嵌合され比較的長めの円筒部（内径ｄ）２１の側面に該円筒部２１の長手方向に沿ってブラシ２３が刷毛状に植設されて構成されている。また、円筒部２１はその先端が閉塞され、側面において該円筒部２１の長手方向に沿って複数の吸気口２４（この明細書で第１吸気口２４と称する場合がある）がブラシ２３の間に形成されている。このように構成されたブラシ部２０は、たとえば柔らかく傷つき易い和人形、布、花等を掃除する場合に使用することができ、また、比較的幅広の溝等を掃除する場合に好適となる。
【００２０】
図３（ｃ）に示すブラシ部は、補助用ホース１０のブラシ取付け部４０に嵌合され比較的短めの円筒部（内径ｄ）２１の側面に散在的にブラシ２３が散在的に植設されて構成されている。また、円筒部２１はその先端が閉塞され、側面においてブラシ２３の間に散在的に複数の吸気口２４（この明細書で第１吸気口２４と称する場合がある）が形成されている。このように構成されたブラシ部２０は、ホースの内壁面、あるいは花瓶類の内壁面に付着しているごみ等を除去するのに好適となる。
【００２１】
図３（ｄ）に示すブラシ部２０は、補助用ホース１０のブラシ取付け部４０に嵌合され比較的長めの細い円筒部（内径ｄ）２１の先端部に丈の短いブラシ２３が刷毛状に植設されて構成されている。また、円筒部２１はその先端部のブラシ２３の間の側面に吸気口２４（この明細書で第１吸気口２４と称する場合がある）が形成されている。このように構成されたブラシ部２０は、比較的狭い箇所あるいは小さな窪みに付着しているごみ等を除去するのに好適となる。
【００２２】
図３（ｅ）に示すブラシ部２０は、補助用ホース１０のブラシ取付け部４０に嵌合され比較的長めの細い円筒部（内径ｄ）２１からなり、先端部に向かうに従い扁平形状となり、先端において長孔を有するようになっている。円筒部２１に形成される前記長孔がそのまま吸気口２４（この明細書で第１吸気口２４と称する場合がある）として形成されるようになっている。このように構成されたブラシ部２０は、幅狭であって深い溝内に堆積する塵埃等を吸引する場合に使用することが好適となる。なお、図３（ｅ）に示したブラシ部２０は、ブラシを有しないものとして構成されたものであるが、この明細書では、このような構成のものをも含めてブラシ部と称する。
【００２３】
図１（ａ）は、補助用ホース１０のブラシ取付け部４０を示す側面図である。ブラシ取付け部４０は、円筒材４１からなり、その一端が補助用ホース１０の先端部に挿通されて取り付けられている。ブラシ取付け部４０の他端部は、外径がｄ’（ｄより若干小さめの値）となっており、この他端部にたとえば図３（ａ）〜（ｅ）に示したブラシ部２０の一つが挿通されて取り付けられるようになっている。また、円筒材４１からなるブラシ取付け部４０は、その掃除機本体５０側の部分に吸気量調節部３０が形成されている。吸気量調節部３０は、円筒材４１における該吸気量調節部３０の約半分の領域にわたって円筒形のスライド部３１が該円筒材４１に挿通されて配置され、このスライド部３１は、該吸気量調節部３０の一方の領域（たとえば図中左側の領域）から他方の領域（たとえば図中右側の領域）に及んで摺動できるようになっている。そして、吸気量調節部３０の他方の領域には、円筒材４１の長手方向に沿って複数（図１ではたとえば５個）の吸気口３２（この明細書では第２吸気口３２と称する場合がある）が形成されている。吸気量調節部３０をこのように構成することによって、図１（ｂ）の矢印αに示すように、スライド部３１を円筒材４１に沿って摺動させることによって、第２吸気口３２の幾つかあるいは全部を被うようにすることができるようになっている。この場合、スライド部３１の内周面と円筒材の外周面との間の隙間は僅かに設定されているため、スライド部３１によって被われた第２吸気口３２は、吸気口としての機能が失われるようになっている。
【００２４】
このように構成した吸気量調節部３０は、掃除機本体５０から補助用ホース１０を通して空気を吸い込む場合、ブラシ部２０の第１吸気口２４の他に、第２吸気口３２をも通してなされることになる。この場合、スライド部３１によって各第２吸気口３２のそれぞれを被うようにした場合、掃除機本体５０からの空気の吸い込みはブラシ部２０の第１吸気口２４のみを通すことになり吸引力が大きくなる。そして、スライド部３１の摺動によって、第２吸気口３２のそれぞれをスライド部３１から順次露呈させることにより、掃除機本体５０からの空気の吸い込みは第１吸気口２４の他に第２吸気口３２をも通してなされ、該第２吸気口３２の数に応じて吸引力が減少するようになる。これにより、吸気量調節部３０におけるスライド部３１の操作によって、ブラシ部２０における第１吸気口２４による空気の吸引力の程度を調節することができるようになる。
なお、図１は、スライド部３１を円筒材４１に沿って単に摺動させる構成としたものである。しかし、これに限定されることはなく、図１（ｂ）と対応する図である図４に示すように、円筒材４１の外周面とスライド部３１の内周面のそれぞれに互いに噛み合う螺子４１Ａを形成し、スライド部３１を周方向（図中β方向）に回転させることにより、該スライド部３１をたとえば矢印α方向に移動させるように構成してもよいことはいうまでもない。同様の効果が得られるからである。
【００２５】
図５（ａ）は、補助用ホース１０の第１吸気管５３Ａとの取付けがなされる基端部を示した側面図である。図５（ａ）に示すように、補助用ホース１０の基端部には、該補助用ホース１０よりも径の大きな円筒形からなる装着体４５を備え、この装着体４５は第１吸気管５３Ａに装着されるようになっている。この場合、第１吸気口５３Ａによってはその第１吸気管５３Ａの径が異なっている場合があることに鑑み、円筒形のアダプタ４６を選択的に用いることができるようになっている。このアダプタ４６は、装着体４５に挿通することによって該装着体４５の外径を該アダプタ４６によって増大させる機能を有するようになっている。この場合、アダプタ４６は、外径の異なるものを数種用意しておくことによって、各種の第１吸気管５３Ａに補助用ホース１０を着脱自在に取り付けることができるようになる。なお、図５（ｂ）は、装着体４５をアダプタ４６を用いることなく第１吸気管５３Ａに装着した場合を示し、図５（ｃ）は、装着体４５にアダプタ４６を挿通させた状態で第１吸気管５３Ａに装着した場合を示している。
また、図６（ａ）は、前記アダプタ４６の他の実施例を示した側面図で、アダプタ４５の外周面には軸方向に沿った溝部４６Ａが形成されている。この溝部４６Ａは、図６（ａ）のｂ−ｂ線における断面図である図６（ｂ）に示すように、アダプタ４５の周方向に沿ってたとえば等間隔に４個設けられている。このような溝４６Ａを具備するアダプタ４６を図５（ｃ）に示したように用いた場合、軸方向に垂直な平面で断面をとった図６（ｃ）で示すように、アダプタ４６と第１吸気口５３Ａの間に前記溝４６Ａによる空気通路が形成されることになる。このため、アダプタ４６において、たとえば、図６（ｄ）に示すように溝部４６Ａが２個あるもの、図６（ｅ）に示すように溝部４６Ａが３個ある物等を予め用意しておき、必要に応じてこれらを選択して用いることにより、外気からの吸入量を多くでき、このため、補助用ホース１０のブラシ部２０における吸引流量を少なくできるので、該ブラシ部２０の吸引力を調整できる効果を奏する。
【００２６】
また、補助用ホース１０は、たとえば約３ｍの長さを有し、ブラシ取付け部４０、吸気量調節部３０、および装着体４５を除く部分は、たとえば蛇腹形状で構成され、その径はたとえば約５ｍｍとなっている。このため、補助用ホース１０は、重量を軽く構成でき、掃除機本体５０から比較的近い箇所を掃除する場合において、該補助用ホース１０の途中において容易に巻回でき、掃除機本体５０とブラシ部２０との間を適当な距離に設定することができる。
【００２７】
このように構成した電気掃除機の補助用ホース１０は、その先端部に、掃除環境に応じて変形された種類の異なる複数のブラシ部２０のうちの一つが選択的に取り付けられ、これにより、掃除環境に適した掃除をすることができる効果を奏する。この場合、補助用ホース１０が一つであるのに対し、ブラシ部２０のそれぞれは比較的小さく構成できることから、これら種類の異なるブラシ部２０が多数あっても、収納が嵩張るという不都合を解消できるようになる。
【００２８】
そして、ブラシ取付け部４０の掃除機本体５０側の部分に、第２吸気口３２を形成しこの第２吸気口３２の面積（吸気面積）を可変し得る吸気量調節部３０を形成していることから、掃除環境に応じた適切な吸引力を得ることができる。すなわち、掃除をする箇所に対応する適切なブラシ部２０を選択しても、ブラシ部２０に形成されている第１吸気口２４は形状が決まっていることから吸引力が一定となってしまう。この場合、掃除をする対象が、たとえば和人形、あるいは紙等の場合に、吸引力が大きいと対象物の破損に至る場合がある。この場合において、吸気量調節部３０によって適切な吸引力を得ることによって上記不都合を解消することができる。なお、このような効果を得るため、ブラシ部２０のそれぞれに吸気量調節部３０を形成することが考えられる。しかし、このようにした場合、各ブラシ部２０の構成が複雑となるのに対し、上述した実施態様に示すように、ブラシ取付け部４０に吸気量調節部３０を形成することによって、構成を簡単にすることができる効果を奏する。
【００２９】
このことから、本発明による電気掃除機の補助用ホース１０によれば、掃除をする環境に応じて適切なブラシ部２０を選択でき、さらに、その環境において適切に塵埃の吸い込みを行うことができるようになる。また、吸気量調節部３０を具備させることによって、ブラシ部２０の形状が多様にわたって変化したものであっても、その形状に合わせた適格な吸気量を調節できることから、種類の異なるブラシ部（図３に示したブラシ部以外のブラシ部も含まれる）を多数作成できるという効果を奏する。
（実施態様２）
図７は、補助用ホース１０の吸気量調整部３０の他の実施態様を示す構成図である。図７に示すように、吸気量調整部３０における管体部を第１管体部３０Ａおよび第２管体部３０Ｂに分割し、これら第１管体部３０Ａおよび第２管体部３０Ｂは、互いに螺合されて一体化できるようになっている。第１管体部３０Ａの先端部と第２管体部３０Ｂの内壁面に形成された凸部６１には吸気量調整板６０が挟持されて配置できるようになっている。該吸気量調整板６０は、種別の異なる他の吸気量調整板と交換可能に配置できるようになっている。
図８（ａ）、（ｂ）、（ｃ）は、吸気量調整板６０を平面的に観た図で、それぞれ、空気が流入できる面積を中心軸を通る開き角の異なる開口形状によって変化させたものとなっている。また、図９（ａ）、（ｂ）、（ｃ）は、それぞれ、空気が流入できる面積を径の異なる同心円の開口形状によって変化させたものとなっている。なお、図中において、吸気量調整板６０の開口を符号６５で示している。
このような構成において、必要に応じて、空気が流入できる面積の異なる各種の吸気量調整板６０を交換して用いることによって、補助用ホース１０のブラシ部２０の吸引力を調整できる効果を奏する。
なお、このように吸気量調整板６０を用いる吸気量調整部３０は、それ独自で構成してもよく、また、図１に示した吸気量調整部と並設させて構成するようにしてもよいことはもちろんである。
（実施態様３）
実施態様１で示した吸気量調節部３０は、ブラシ取付け部４０から延在された円筒材４１に該円筒材４１の長手方向に沿って設けられた複数の吸気口３２と、該円筒材４１に挿通され該円筒材４１の長手方向に沿って摺動するスライド部３１とを有し、該スライド部３１の摺動にともなう各吸気口３２の幾つかあるいは全部を塞ぐことによって、該吸気口３２の面積を可変させるようにしたものである。しかし、前記吸気口３２は、複数に限定されることはなく、図１に対応づけて描いた図１０に示すように、円筒材４１の長手方向に沿って延在する長孔３２’であってもよい。同様の効果が得られるからである。また、図１０に示す構成において、図４に示したように、円筒材４１の外周面とスライド部３１の内周面のそれぞれに互いに噛み合う螺子を形成し、スライド部３１を周方向に回転させることにより、該スライド部３１をたとえば図中矢印α方向に移動させるように構成してもよいことはいうまでもない。
（実施態様４）
上述した実施例では、補助用ホース１０を掃除機本体５０に接続される第１吸気管５３Ａに着脱自在に取付けるようにしたものである。しかし、これに限定されることはない。たとえば、図１１に示すように、補助用ホース１０を掃除機本体５０に直接取り付けるようにしてもよい。補助用ホース１０は、その基端が掃除機本体５０の吸い込み孔５３’に挿入されることによって、掃除機本体５０に取り付けられるようになっている。
この場合、補助用ホース１０と掃除機本体５０の間には、吸引量調節スイッチ（図２にて符号５７で示す）を具備する第１吸気管（図２にて符号５３Ａで示す）が存在していないことから、吸引力が比較的大きくなる。したがって、このような場合に本実施態様を適用することができる。
また、このように実施態様４を適用する場合にも、図１２に示すように、補助用ホース１０の装着体４５と掃除機本体５０の吸い込み孔５３’との間に、アダプタ４６を用いないで使用したり（図１２（ａ））、該アダプタ４６を用いる（図１２（ｂ））ことができるのはいうまでもない。さらに、該アダプタ４６において、図６に示したように溝部４６Ａを有するものを適用させ、吸引力を調整するようにできるようにしてもよいことはもちろんである。
【００３０】
また、吸気量調節部３０は、上述した構成以外のものであってもよいことはもちろんである。要は、吸気量調整部３０は、第２吸気口３２の面積（吸気面積）を可変し得る構成となっていればよい。
【００３１】
以上説明したことから明らかとなるように、本発明の効果を纏めると以下のようになる。
すなわち、従来の家庭掃除機において掃除をする際、電力量（Ｗ）の出力加減によって調整が行われるが、掃除をする対象や場所によっては吸引力が強くなり過ぎたり、あるいは、ホースが太く重すぎたり、特に、女性の長時間の掃除機掛けには無理があった等のように家庭用の掃除能力に限界が生じていた。そして、ホースの軽量化を図るため、該ホースの小口径化を行う場合、吸引力は必要以上に高まってしまう不都合を生じる。
このため、従来ホースに代えて本発明のホースを差し込み、従来ホースの口径より本発明のホースの口径が小さくなって吸引力が高まった分を考慮し、ブラシ部の穴数を従来ホースの穴数よりも多くし、従来のホースの口径面積あたりの吸引力を分散させ、本発明のホースのブラシ部の穴への吸引力を弱めている。さらに、本発明のホースの一部に吸い込む分散穴を設け、この穴の吸い込み面積を変化できるようにすることにより、吸引力をコントロールできるようにしている。そして、ブラシ部の先端にブラシを設け、ブラシと吸い込み穴からの距離を一定にすることにより、適当な吸引力を保ちながら、ブラシ面の全体での吸引力を弱めるようにしている。
上記の方法によって、総合的に吸引力を弱めるようにするが、それでも充分に吸引力が得られない場合、溝付きアダプタで、該吸引力を大幅に低下させることができるようになる。このことから、ブラシ部において適切な吸引力が得られ、それぞれの環境において適切に塵埃の吸い込みを行うことができるようになる。
【００３２】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００３３】
１０……補助用ホース、２０……ブラシ部、２１……円筒部、２２……台部、２２Ａ……平面、２３……ブラシ、２４……第１吸気口、３０……吸気量調節部、３０Ａ……第１管体部、３０Ｂ……第２管体部、３１……スライド部、３２……第２吸気口、３２’……長孔、４０……ブラシ取付け部、４１……円筒材、４５……装着体、４６……アダプタ、４６Ａ……溝部、５０……掃除機本体、５１……電動送風機、５２……集塵室、５３……吸気管、５３Ａ……第１吸気管、５３Ｂ……第２吸気管、５３’……吸込み孔、５５……把持部、５６……吸引駆動スイッチ、５７……吸引量調整スイッチ、６０……吸気量調整板、６１……凸部、６５……開口。
【要約】
【課題】収納が嵩張らず、掃除をする環境に応じて汎用性に富み、それぞれの環境において適切に塵埃の吸い込みを行うことのできる電気掃除機の補助用ホースを提供する。
【解決手段】掃除機本体５０に着脱自在に取付けられる吸気管５３に対して互換的に取付けられる可撓性の補助用ホース１０であって、その先端部に、少なくとも第１吸気口２４を有し掃除環境に応じて変形された異種類の複数のブラシ部２０のうちの一つが選択的に取り付けられる円筒形のブラシ取付け部４０と、ブラシ取付け部４０の掃除機本体側の部分に、第２吸気口３２を有し該第２吸気口３２の面積を可変し得る吸気量調節部３０と、が備えられている。
【選択図】  図１【図１】
0005278925.tif 000002
【図２】
0005278925.tif 000003
【図３】
0005278925.tif 000004
【図４】
0005278925.tif 000005
【図５】
0005278925.tif 000006
【図６】
0005278925.tif 000007
【図７】
0005278925.tif 000008
【図８】
0005278925.tif 000009
【図９】
0005278925.tif 000010
【図１０】
0005278925.tif 000011
【図１１】
0005278925.tif 000012
【図１２】
0005278925.tif 000013